(57)【要約】【課題】ハードディスクに記録されたタイトルのうち、削除したいタイトルが多くあった場合でも、削除したいタイトルを早く選択できて一括削除することができるハードディスク装置を提供する。【解決手段】タイトルリスト画面を表示している状態で、一括選択キーが押下されたとき、タイトルリスク画面に有るタイトル名全てに対応する選択チェックボックスにチェックマークが記入される。そして、削除したくないタイトルのタイトル名が選択されたとき、その選択されたタイトル名に対応する選択チェックボックスのチェックマークが消去される。この後、クリアキーが押下されたとき、選択チェックボックスにチェックマークが記入されているタイトル名のタイトルが一括削除される。これにより、ユーザにとっては、タイトルを一括削除するまでの操作回数が削減され、削除するのに要する時間も短縮される。【選択図】図５
2008165901.tif 000002
【特許請求の範囲】
【請求項１】
ハードディスクに対して情報を記録したり、ハードディスクに記録された情報を再生したりするハードディスク装置において、
再生リストキーが押下されたとき、タイトルを削除するための選択チェックボックスを有するタイトルリスト画面をディスプレイ装置に表示するタイトルリスト表示手段と、
一括選択キーが押下されたとき前記タイトルリスト画面の選択チェックボックスの全てにチェックマークを記入するチェックマーク記入手段と、
削除したくないタイトルのタイトル名が選択されたとき、その選択されたタイトル名に対応する選択チェックボックスのチェックマークを消去するチェックマーク消去手段と、
クリアキーが押下されたとき、前記選択チェックボックスにチェックマークが記入されているタイトル名のタイトルを一括削除するタイトル一括削除手段と、を有するシステムコントローラを備えたことを特徴とするハードディスク装置。
【請求項２】
ハードディスクに対して情報を記録したり、ハードディスクに記録された情報を再生したりするハードディスク装置において、
タイトルを削除するための選択チェックボックスを有するタイトルリスト画面を表示している状態で、一括選択キーが押下されたとき、前記タイトルリスク画面に有るタイトル名全てに対応する選択チェックボックスにチェックマークを記入し、削除したくないタイトルのタイトル名が選択されたとき、その選択されたタイトル名に対応する選択チェックボックスのチェックマークを消去し、クリアキーが押下されたとき、前記選択チェックボックスにチェックマークが記入されているタイトル名のタイトルを一括削除するシステムコントローラを備えたことを特徴とするハードディスク装置。
【請求項３】
前記システムコントローラは、再生リストキーが押下されたとき、タイトルを削除するための選択チェックボックスを有するタイトルリスト画面をディスプレイ装置に表示するタイトルリスト表示手段と、一括選択キーが押下されたとき前記タイトルリスト画面の選択チェックボックスの全てにチェックマークを記入するチェックマーク記入手段と、削除したくないタイトルのタイトル名が選択されたとき、その選択されたタイトル名に対応する選択チェックボックスのチェックマークを消去するチェックマーク消去手段と、クリアキーが押下されたとき、前記選択チェックボックスにチェックマークが記入されているタイトル名のタイトルを一括削除するタイトル一括削除手段と、を有することを特徴とする請求項２に記載のハードディスク装置。
【発明の詳細な説明】
【技術分野】
【０００１】
本発明は、ハードディスクに対して情報を記録したり、ハードディスクに記録された情報を再生したりするハードディスク装置に関し、特に、ハードディスクに記録されたタイトルを一括削除する処理に関する。
【背景技術】
【０００２】
近年、映像情報および音声情報のデジタル化および、そのデータの圧縮技術の目覚しい発達により、磁気テープに対して映像音声情報を記録／再生するＶＣＲ（ビデオカセットレコーダ）に代わり、光ディスクであるＤＶＤ（デジタルバーサタイルディスク）に対して映像音声情報を記録／再生する光ディスク装置（ＤＶＤレコーダ）や、ハードディスクに対して映像音声情報を記録／再生するハードディスク装置（ハードディスクレコーダ）が普及してきている。
【０００３】
ところで、ＤＶＤは、ディスク１枚当たり約４．７ＧＢ程度の容量になるが、ハードディスクは、８０ＧＢから数百ＧＢの容量を持っているので、ハードディスクは、テレビ番組のような長時間の情報を記録するのに適している。したがって、テレビ番組を記録するのに、ハードディスク装置が用いられることが多い。
【０００４】
ハードディスク装置では、数百に及ぶタイトルをハードディスクに記録させることができるが、ハードディスクの残量不足や記録可能なタイトル数などの制限によりタイトルを複数削除する必要が生じる場合があり、この場合に多くのタイトルから不必要なタイトルだけを選択して削除するのに、従来のハードディスク装置では、ハードディスクに記録されたタイトルのうち、削除したい複数のタイトルをリモコン操作で選択して、一括して削除するための複数タイトル削除機能が備えられている。
【特許文献１】特開２００５-２５７９２７号公報
【特許文献２】特開２００３-２５９２４３号公報
【特許文献３】特開２００２-３６６５８０号公報
【発明の開示】
【発明が解決しようとする課題】
【０００５】
ところで、このような従来のハードディスク装置において複数タイトル削除機能によってタイトルを一括削除するには、先ず、ユーザは、リモコンの再生リストキーを押下して、タイトルリスト画面をディスプレイ装置に表示させる。そして、ユーザは、リモコンを操作して、タイトルリスト画面上のカーソルを移動させて削除したいタイトルのタイトル名を選択して決定操作を行うと、選択して決定操作したタイトル名に対応する複数タイトル削除チェックボックスにチェックマークが記入される。削除したいタイトルが複数個あれば、各タイトル毎に同様な操作を何回も繰り返す。
【０００６】
ディスプレイ装置に表示されたタイトルリスト画面が、例えば図６に示すようなタイトルリスト画面であった場合で、例えば、奇跡体験、人物伝、ズバリ回答、スーパーライブ、茶の湯、スポーツセブン、ニュースワールド、なつかしのミュージックのそれぞれのタイトルを削除する場合、ユーザは、リモコンの上方向キーや下方向キーを操作して、タイトルリスト画面上のカーソルＫを上下方向に移動させ、削除したいタイトルのタイトル名（奇跡体験）を選択し、リモコンの決定キーを押下する。これにより、選択されたタイトル名（奇跡体験）に対応する複数タイトル削除チェックボックスにチェックマークが記入される。
【０００７】
次に、ユーザは、リモコンの下方向キーを操作してタイトルリスト画面上のカーソルＫを下方向に移動させ、削除したいタイトルのタイトル名（人物伝）を選択し、リモコンの決定キーを押下する。これにより、選択されたタイトル名（人物伝）に対応する複数タイトル削除チェックボックスにチェックマークが記入される。このような操作を、ズバリ回答、スーパーライブ、茶の湯、スポーツセブン、ニュースワールド、なつかしのミュージックのそれぞれのタイトル名についても同様に行い、ユーザがリモコンのクリアキーを押下すると、複数タイトル削除チェックボックスにチェックマークが記入された、奇跡体験、人物伝、ズバリ回答、スーパーライブ、茶の湯、スポーツセブン、ニュースワールド、なつかしのミュージックのそれぞれのタイトルが一括削除される。
【０００８】
しかしながら、このような従来のハードディスク装置においては、ユーザが削除したいタイトルが多くあった場合、リモコンの上方向キーや下方向キーを操作して、タイトルリスト画面上のカーソルを上下方向に移動させ、削除したいタイトルのタイトル名を選択し、リモコンの決定キーを押下すると言うリモコン操作を、削除したいタイトルの個数分だけ行わなければならないので、ユーザにとっては削除操作が煩わしくて手間もかかり、削除するのに要する時間も多くかかるという課題があった。
【０００９】
なお、特許文献１の従来技術では、コンテンツ（タイトルに相当）の再生状態に応じて、ユーザにとって不要なコンテンツを削除できるようにしているが、コンテンツの再生状態に応じて削除されるコンテンツは、必ずしもユーザにとって不要なコンテンツとは言えない場合もあり、また、ユーザが削除したいコンテンツが多くあった場合、削除したいコンテンツを選択する操作を簡単化することについては開示されていない。
【００１０】
特許文献２の従来技術では、番組の検索結果から新たなキーワードを自動生成し、これらのキーワードをチェックボックスと共にユーザに提示し、ユーザが不要であると判断したキーワードの指定を受け付けて再度検索し、指定されたキーワードを含む番組情報を削除するようにしているが、この従来技術は、ユーザが不要である関連番組を検索して削除するだけであり、ユーザが削除したい番組が多くあった場合、削除したい番組を選択する操作を簡単化することについては開示されていない。
【００１１】
特許文献３の従来技術は、情報検索結果とリンク関係にあるホームページを表示する方法であって、手間をかけずに短時間に所望のホームページを検索できるようにしたものであり、ハードディスクに記録されたタイトルのうち、削除したいタイトルが多くあった場合、削除したいタイトルを選択する操作を簡単化することについては開示されていない。
【００１２】
本発明は、上記のような課題を解決するためになされたもので、ハードディスクに記録されたタイトルのうち、削除したいタイトルが多くあった場合でも、削除したいタイトルを早く選択できて一括削除することができるハードディスク装置を提供することを目的とする。
【課題を解決するための手段】
【００１３】
上記目的を達成するために、請求項１の発明は、ハードディスクに対して情報を記録したり、ハードディスクに記録された情報を再生したりするハードディスク装置において、再生リストキーが押下されたとき、タイトルを削除するための選択チェックボックスを有するタイトルリスト画面をディスプレイ装置に表示するタイトルリスト表示手段と、一括選択キーが押下されたとき前記タイトルリスト画面の選択チェックボックスの全てにチェックマークを記入するチェックマーク記入手段と、削除したくないタイトルのタイトル名が選択されたとき、その選択されたタイトル名に対応する選択チェックボックスのチェックマークを消去するチェックマーク消去手段と、クリアキーが押下されたとき、前記選択チェックボックスにチェックマークが記入されているタイトル名のタイトルを一括削除するタイトル一括削除手段とを有するシステムコントローラを備えたことを特徴とするハードディスク装置を提供する。
【００１４】
この構成において、タイトルリスト表示手段は、再生リストキーが押下されたことを検知すると、ディスプレイ装置にタイトルリスト画面を表示させる。次に、チェックマーク記入手段は、一括選択キーが押下されたことを検知すると、タイトルリスト画面の選択チェックボックスの全てにチェックマークを記入する。ここで、削除したくないタイトルのタイトル名が選択されると、チェックマーク消去手段は、選択されたタイトル名に対応する選択チェックボックスのチェックマークを消去する。この後、クリアキーが押下されると、タイトル一括消去手段は、選択チェックボックスにチェックマークが記入されているタイトル名のタイトルを一括削除する。
【００１５】
この構成によれば、タイトルを削除するための選択チェックボックスを有するタイトルリスト画面を表示している状態で、一括選択キーが押下されたとき、前記タイトルリスク画面に有るタイトル名全てに対応する選択チェックボックスにチェックマークが記入され、削除したくないタイトルのタイトル名が選択されたとき、その選択されたタイトル名に対応する選択チェックボックスのチェックマークが消去され、クリアキーが押下されたとき、前記選択チェックボックスにチェックマークが記入されているタイトル名のタイトルが一括削除されるので、ハードディスクに記録されたタイトルのうち、削除したいタイトルが多くあった場合でも、削除したいタイトルを早く選択でき、これにより、ユーザにとっては、タイトルを一括削除するまでの操作回数が削減され、削除するのに要する時間も短縮される。
【００１６】
請求項２の発明は、ハードディスクに対して情報を記録したり、ハードディスクに記録された情報を再生したりするハードディスク装置において、タイトルを削除するための選択チェックボックスを有するタイトルリスト画面を表示している状態で、一括選択キーが押下されたとき、前記タイトルリスク画面に有るタイトル名全てに対応する選択チェックボックスにチェックマークを記入し、削除したくないタイトルのタイトル名が選択されたとき、その選択されたタイトル名に対応する選択チェックボックスのチェックマークを消去し、クリアキーが押下されたとき、前記選択チェックボックスにチェックマークが記入されているタイトル名のタイトルを一括削除するシステムコントローラを備えたことを特徴とするハードディスク装置を提供する。
【００１７】
この構成において、タイトルリスト画面を表示している状態で、一括選択キーが押下されたとき、前記タイトルリスク画面に有るタイトル名全てに対応する選択チェックボックスにチェックマークが記入される。そして、削除したくないタイトルのタイトル名が選択されたとき、その選択されたタイトル名に対応する選択チェックボックスのチェックマークが消去される。この後、クリアキーが押下されたとき、選択チェックボックスにチェックマークが記入されているタイトル名のタイトルが一括削除される。
【００１８】
この構成によれば、タイトルを削除するための選択チェックボックスを有するタイトルリスト画面を表示している状態で、一括選択キーが押下されたとき、前記タイトルリスク画面に有るタイトル名全てに対応する選択チェックボックスにチェックマークが記入され、削除したくないタイトルのタイトル名が選択されたとき、その選択されたタイトル名に対応する選択チェックボックスのチェックマークが消去され、クリアキーが押下されたとき、前記選択チェックボックスにチェックマークが記入されているタイトル名のタイトルが一括削除されるので、ハードディスクに記録されたタイトルのうち、削除したいタイトルが多くあった場合でも、削除したいタイトルを早く選択でき、これにより、ユーザにとっては、タイトルを一括削除するまでの操作回数が削減され、削除するのに要する時間も短縮される。
【００１９】
請求項３の発明では、請求項２の発明において、前記システムコントローラは、再生リストキーが押下されたとき、タイトルを削除するための選択チェックボックスを有するタイトルリスト画面をディスプレイ装置に表示するタイトルリスト表示手段と、一括選択キーが押下されたとき前記タイトルリスト画面の選択チェックボックスの全てにチェックマークを記入するチェックマーク記入手段と、削除したくないタイトルのタイトル名が選択されたとき、その選択されたタイトル名に対応する選択チェックボックスのチェックマークを消去するチェックマーク消去手段と、クリアキーが押下されたとき、前記選択チェックボックスにチェックマークが記入されているタイトル名のタイトルを一括削除するタイトル一括削除手段とを有することを特徴とする。
【００２０】
したがって、前記システムコントローラは、タイトルリスト表示処理、チェックマーク記入処理、チェックマーク消去処理、およびタイトル一括削除処理を実現でき、これにより、ハードディスクに記録されたタイトルのうち、削除したいタイトルが多くあった場合でも、削除したいタイトルを早く選択できるようにし、削除したいタイトルを一括削除することを可能にする。
【発明の効果】
【００２１】
以上のように本発明によれば、タイトルを削除するための選択チェックボックスを有するタイトルリスト画面を表示している状態で、一括選択キーが押下されたとき、前記タイトルリスク画面に有るタイトル名全てに対応する選択チェックボックスにチェックマークが記入され、削除したくないタイトルのタイトル名が選択されたとき、その選択されたタイトル名に対応する選択チェックボックスのチェックマークが消去され、クリアキーが押下されたとき、前記選択チェックボックスにチェックマークが記入されているタイトル名のタイトルが一括削除されるので、ハードディスクに記録されたタイトルのうち、削除したいタイトルが多くあった場合でも、削除したいタイトルを早く選択でき、これにより、ユーザにとっては、タイトルを一括削除するまでの操作回数が削減され、削除するのに要する時間も短縮される。
【発明を実施するための最良の形態】
【００２２】
以下、添付図面を参照しつつ、本発明の実施の形態について説明する。図１は本発明の一実施形態に係るハードディスク装置の構成を示すブロック図である。
【００２３】
このハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをＨＤ（ハードディスク）５ａに書き込んだりＨＤ５ａに記録された映像音声データを読み出したりするＨＤＤ（ハードディスクドライブ）５、およびＨＤＤ５によりＨＤ５ａから読み出した映像音声データを元の映像音声データに復元する伸張処理部６を備えている。
【００２４】
また、このハードディスク装置Ａは、前記復元した映像音声データのうち映像データ（システムコントローラ１０からのタイトルリスト画面のデータやメッセージデータなどがある場合はタイトルリスト画面のデータやメッセージデータなどを重畳した映像データ）を表示可能な映像信号に変換してテレビ受信機８のディスプレイ装置８１に供給するＯＳＤ（オンスクリーンディスプレイ）部７、伸張処理部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時や伸張処理部６による伸張処理時に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、およびシステムコントローラ１０の処理に必要なプログラムやデータなどが記録されたフラッシュＲＯＭ１４を備えている。
【００２５】
システムコントローラ１０は、本実施形態の特徴とする構成要素として、再生リストキーが押下されたとき、タイトルを削除するための選択チェックボックスを有するタイトルリスト画面をディスプレイ装置８１に表示するタイトルリスト表示手段と、一括選択キーが押下されたとき前記タイトルリスト画面の選択チェックボックスの全てにチェックマークを記入するチェックマーク記入手段と、削除したくないタイトルのタイトル名が選択されたとき、その選択されたタイトル名に対応する選択チェックボックスのチェックマークを消去するチェックマーク消去手段と、クリアキーが押下されたとき、前記選択チェックボックスにチェックマークが記入されているタイトル名のタイトルを一括削除するタイトル一括削除手段とを有する。
【００２６】
図２は本実施形態においてリモコンのキー配置の一例を示す図である。図２において、リモコン１３の操作パネル２００には、ＴＶ電源キー２１１、入力切換キー２１２、ＨＤＤ電源キー２１３、音量キー２１４、複数の数字キー２１５、再生リストキー２１６、一括選択キー２１７、上方向きー２１８、下方向キー２１９、左方向キー２２０、右方向キー２２１、決定キー２２２、クリアキー２２３、記録キー２２４、一時停止キー２２５、早戻しキー２２６、停止キー２２７、再生キー２２８、早送りキー２２９などが配置されている。なお、ここでのキーの配置および個数は一例であるので、これに限ることはない。
【００２７】
図３は本実施形態において選択チェックボックスの全てにチェックマークが記入されている場合のタイトルリスト画面の一例を示す図である。即ち、このタイトルリスト画面は、リモコン１３（図２参照）の一括選択キー２１７が押下されたときにテレビ受信機８のディスプレイ装置８１（図１参照）に表示された画面である。
【００２８】
図３に示すタイトルリスト画面の１行目では、図１に示すハードディスク装置ＡにおけるＨＤ５ａの残り記録可能時間が、記録モードＳＰで記録した場合、８６時間５７分であることが示され、この画面が３ページのうちの１ページ（００１／００３）であることが示されている。このタイトルリスト画面の２行目では、削除したいタイトルを一括選択する場合にタイトル名に対応してチェックマークが記入される選択チェックボックスの項目と、複数タイトル削除の機能で複数のタイトルを削除する場合に削除したいタイトルのタイトル名に対応してチェックマークが記入される複数タイトル削除チェックボックスの項目と、ＨＤ５ａに記録されているタイトルのタイトル番号（Ｎｏ．）の項目と、ＨＤ５ａに記録されているタイトルのタイトル名の項目と、各タイトルの記録年月日の項目とが示されている。
【００２９】
リモコン１３の一括選択キー２１７が押下されると、例えば、図３に示すタイトルリスト画面のように、タイトル名が、奇跡体験、人物伝、ズバリ回答、オーラのパワー、スーパーライブ、茶の湯、超時空マジック、スポーツセブン、ニュースワールド、なつかしのミュージックに、それぞれ対応する選択チェックボックス全てにチェックマークが記入される。
【００３０】
図４は本実施形態において選択チェックボックスに選択されたチェックマークが記入されている場合のタイトルリスト画面の一例を示す図である。即ち、このタイトルリスト画面は、リモコン１３の操作により削除したくないタイトルのタイトル名が選択され、選択されたタイトル名に対応する選択チェックボックスのチェックマークが消去されたときのテレビ受信機８のディスプレイ装置８１（図１参照）に表示された画面である。
【００３１】
図４に示すタイトルリスト画面では、図３に示すタイトルリスト画面の状態から、リモコン１３の操作により削除したくないタイトルのタイトル名、例えば、オーラのパワーと超時空マジックとが選択され、選択されたオーラのパワーと超時空マジックとにそれぞれ対応する選択チェックボックスのチェックマークが消去されている。図４に示すタイトルリスト画面が図１のディスプレイ装置８１に表示された後、リモコン１３のクリアキー２２３が押下されると、選択チェックボックスにチェックマークが記入された、例えば、奇跡体験、人物伝、ズバリ回答、スーパーライブ、茶の湯、スポーツセブン、ニュースワールド、なつかしのミュージックのそれぞれのタイトルが一括削除されることになる。
【００３２】
図５は本実施形態においてハードディスクに記録されている複数のタイトルの中から多くのタイトルを一括消去する場合の処理を説明するためのフローチャートである。このフローチャートおよび図１〜図４を参照してハードディスクに記録されている複数のタイトルの中から多くのタイトルを一括消去する場合の処理について説明する。
【００３３】
先ず、ユーザは、リモコン１３のＴＶ電源キー２１１を押下して、テレビ受信機８の電源をオンし、更に、リモコン１３の入力切換キー２１２を押下して、テレビ受信機８の入力モードをビデオモードに切り換える。そして、ユーザは、リモコン１３のＨＤＤ電源キー２１３を押下して、ハードディスク装置Ａの電源をオンし、ハードディスク装置Ａの動作を立ち上げる。
【００３４】
この後、ユーザは、リモコン１３の再生リストキー２１６を押下すると、システムコントローラ１０のタイトルリスト表示手段は、再生リストキー２１６が押下されたことを検知し（ステップＳ１）、タイトルを削除するための選択チェックボックスを有するタイトルリスト画面のデータをＨＤ５ａから読み出し、そのデータを伸張処理部６で伸張し、更にＯＳＤ部７によりディスプレイ装置８１で表示可能なタイトルリスト画面のデータに変換し、ディスプレイ装置８１に例えば図３に示すようなタイトルリスト画面を表示させる（ステップＳ２）。
【００３５】
次に、ユーザは、リモコン１３の一括選択キー２１７を押下すると、システムコントローラ１０のチェックマーク記入手段は、一括選択キー２１７が押下されたことを検知し（ステップＳ３）、前記タイトルリスト画面の選択チェックボックスの全てにチェックマークを記入する（ステップＳ４）。チェックマーク記入手段は、例えば、図３に示すタイトルリスト画面上の選択チェックボックスの全てにチェックマークを記入する。
【００３６】
ここで、ユーザは、削除したくないタイトルのタイトル名を選択するため、即ち、ＨＤ５ａに記録を残したいタイトルのタイトル名を選択するため、リモコン１３の上方向キー２１８や下方向キー２１９を操作してタイトルリスト画面上のカーソルＫを上下方向に移動させ、記録を残したいタイトルのタイトル名を選択し、リモコン１３の決定キー２２２を押下すると、システムコントローラ１０のチェックマーク消去手段は、選択されたタイトル名に対応する選択チェックボックスのチェックマークを消去する（ステップＳ６）。例えば、図３に示すタイトルリスト画面において、オーラのパワーと超時空マジックとを残しておきたい場合、オーラのパワーと超時空マジックとが選択されると、図４のタイトルリスト画面で示すように、オーラのパワーの選択チェックボックスと超時空マジックとの各選択チェックボックスのチェックマークが消去される。
【００３７】
そして、ユーザは、リモコン１３のクリアキー２２３を押下すると、システムコントローラ１０のタイトル一括消去手段は、クリアキー２２３が押下されたことを検知し（ステップＳ７）、ＨＤＤ５を削除処理させ、選択チェックボックスにチェックマーク（図４参照）が記入されているタイトル名のタイトルをＨＤ５ａから一括削除する（ステップＳ８）。この例の場合、オーラのパワーと超時空マジック以外の、奇跡体験、人物伝、ズバリ回答、スーパーライブ、茶の湯、スポーツセブン、ニュースワールド、なつかしのミュージックが、一括削除される。
【００３８】
以上説明したように本実施形態によれば、タイトルを削除するための選択チェックボックスを有するタイトルリスト画面（図３参照）を表示している状態で、一括選択キー２１７が押下されたとき、タイトルリスク画面に有るタイトル名全てに対応する選択チェックボックスにチェックマークが記入され（図３参照）、削除したくないタイトルのタイトル名が選択されたとき、その選択されたタイトル名に対応する選択チェックボックスのチェックマークが消去され（図４参照）、クリアキー２２３が押下されたとき、選択チェックボックスにチェックマークが記入されているタイトル名のタイトルが一括削除されるので、ＨＤ５ａに記録されたタイトルのうち、削除したいタイトルが多くあった場合でも、削除したいタイトルを早く選択でき、これにより、ユーザにとっては、タイトルを一括削除するまでの操作回数が削減され、削除するのに要する時間も短縮される。
【産業上の利用可能性】
【００３９】
本発明は、ハードディスク装置（ハードディスクレコーダ）に利用可能であり、ハードディスクに記録されたタイトルを一括削除する際の操作回数を削減することができるようにする。
【図面の簡単な説明】
【００４０】
【図１】本発明の一実施形態に係るハードディスク装置の構成を示すブロック図である。
【図２】前記実施形態においてリモコンのキー配置の一例を示す図である。
【図３】前記実施形態において選択チェックボックスの全てにチェックマークが記入されている場合のタイトルリスト画面の一例を示す図である。
【図４】前記実施形態において選択チェックボックスに選択されたチェックマークが記入されている場合のタイトルリスト画面の一例を示す図である。
【図５】前記実施形態においてハードディスクに記録されている複数のタイトルの中から多くのタイトルを一括消去する場合の処理を説明するためのフローチャートである。
【図６】従来のハードディスク装置によってディスプレイ装置に表示されるタイトルリスト画面の一例を示す図である。
【符号の説明】
【００４１】
Ａ    ハードディスク装置
１０    システムコントローラ（タイトルリスト表示手段と、チェックマーク記入手段と、チェックマーク消去手段、タイトル一括削除手段）
８１    ディスプレイ装置
２１６    再生リストキー
２１７    一括選択キー
２２３    クリアキー
【図１】
2008165901.tif 000003
【図２】
2008165901.tif 000004
【図３】
2008165901.tif 000005
【図４】
2008165901.tif 000006
【図５】
2008165901.tif 000007
【図６】
2008165901.tif 000008